(57)【要約】  照明サブシステム及び像感知サブシステムを有し、その照明サブシステムが複数通りの照明モダリティを提供する検査システムであり、対象物のうち少なくとも２個のエリアをそれら複数通りの照明モダリティのうち別々なもので以て同時照明し、その像を像感知サブシステムの単一センサ形成部分により捕捉するシステムである。
2022501580.tif 000002
【特許請求の範囲】
【請求項１】
検査システムであって、
照明サブシステムと、
像感知サブシステムとを備え、
上記照明サブシステムが複数通りの照明モダリティを提供し、
対象物のうち少なくとも２個のエリアを上記複数通りの照明モダリティのうち別々なもので以て同時照明し、上記像感知サブシステムの単一センサ形成部分によりそれらの像を捕捉する検査システム。
【請求項２】
請求項１に記載された検査システムであって、上記センサがエリアセンサを備える検査システム。
【請求項３】
請求項１又は２に記載された検査システムであって、上記対象物のうち上記少なくとも２個のエリアが相互非連接的な検査システム。
【請求項４】
請求項１〜３のうち何れかに記載された検査システムであって、上記照明サブシステムが、上記複数通りの照明モダリティのうち上記別々なもので以て上記対象物のうち上記少なくとも２個のエリアをそれぞれ照明する、少なくとも２個のライトモジュールを備える検査システム。
【請求項５】
請求項４に記載された検査システムであって、上記対象物及び自検査システムが、走査方向に沿い、少なくとも近連続的に相対運動する検査システム。
【請求項６】
請求項５に記載された検査システムであって、上記照明サブシステムをストロボ動作させることで、上記少なくとも近連続的な相対運動中に上記対象物のうち上記少なくとも２個のエリアを照明する検査システム。
【請求項７】
請求項５又は６に記載された検査システムであって、上記少なくとも２個のライトモジュールが、上記走査方向に沿った空間により互いに物理的に空間分離されており、上記複数通りの照明モダリティが種々の角度照明モダリティを含む検査システム。
【請求項８】
請求項７に記載された検査システムであって、上記少なくとも２個のエリアからの照明を上記センサの方に差し向けるビームスプリッタをも備え、そのビームスプリッタが、自身の縁が上記空間内に存するよう位置決めされた検査システム。
【請求項９】
請求項７又は８に記載された検査システムであって、上記少なくとも２個のライトモジュールそれぞれが、上記走査方向に対し概ね直交するクロス走査方向に沿い少なくとも二通りの付加的照明モダリティを提供する検査システム。
【請求項１０】
請求項９に記載された検査システムであって、上記少なくとも二通りの付加的照明モダリティが種々の波長符号化モダリティを含む検査システム。
【請求項１１】
請求項９又は１０に記載された検査システムであって、上記少なくとも二通りの付加的照明モダリティが種々の偏向符号化モダリティを含む検査システム。
【請求項１２】
請求項９〜１１のうち何れかに記載された検査システムであって、上記少なくとも二通りの付加的照明モダリティが種々の時間モダリティを含む検査システム。
【請求項１３】
請求項１〜１２のうち何れかに記載された検査システムであって、上記照明サブシステムが、少なくとも１個の透過型集光素子の方に光を差し向ける複数個の光源を備える検査システム。
【請求項１４】
請求項１〜１２のうち何れかに記載された検査システムであって、上記照明サブシステムが、少なくとも１個の反射型集光素子の方に光を差し向ける複数個の光源を備える検査システム。
【請求項１５】
請求項１３又は１４に記載された検査システムであって、上記複数個の光源が、対応する光導波路アレイへと光を出射する光源アレイを備える検査システム。
【請求項１６】
請求項１５に記載された検査システムであって、光整形素子アレイをも備え、上記光導波路アレイに備わる光導波路のうち少なくとも１個が各光整形素子へと光を出射する検査システム。
【請求項１７】
請求項１〜１６のうち何れかに記載された検査システムであって、上記像を処理する画像処理サブシステムをも備える検査システム。
【請求項１８】
請求項１７に記載された検査システムであって、上記処理が上記像の相互位置合わせを含む検査システム。
【請求項１９】
請求項１７又は１８に記載された検査システムであって、上記処理が上記像の多重分離を含む検査システム。
【請求項２０】
請求項１〜１９のうち何れかに記載された検査システムであって、上記照明サブシステムにより供給される照明が少なくとも±４５°なる角度範囲に亘り拡がる検査システム。
【請求項２１】
対象物を検査する方法であって、
対象物のうち少なくとも２個のエリアを、複数通りの照明モダリティのうち別々なもので以て同時照明し、
上記少なくとも２個のエリアの像を単一のセンサにより捕捉する方法。
【請求項２２】
請求項２１に記載された方法であって、上記センサがエリアセンサを備える方法。
【請求項２３】
請求項２１又は２２に記載された方法であって、上記対象物のうち上記少なくとも２個のエリアが相互非連接的な方法。
【請求項２４】
請求項２１〜２３のうち何れかに記載された方法であって、上記対象物のうち上記少なくとも２個のエリアを上記複数通りの照明モダリティのうち上記別々なもので以てそれぞれ照明する少なくとも２個のライトモジュールにより、上記照明を実行する方法。
【請求項２５】
請求項２４に記載された方法であって、上記対象物及び上記少なくとも２個のライトモジュールが、走査方向に沿い、少なくとも近連続的に相対運動する方法。
【請求項２６】
請求項２５に記載された方法であって、上記照明に際し、上記少なくとも近連続的な相対運動中に上記少なくとも２個のライトモジュールをストロボ動作させる方法。
【請求項２７】
請求項２５又は２６に記載された方法であって、上記少なくとも２個のライトモジュールが、上記走査方向に沿った空間により互いに物理的に空間分離されており、上記複数通りの照明モダリティが種々の角度照明モダリティを含む方法。
【請求項２８】
請求項２７に記載された方法であって、更に、上記少なくとも２個のエリアから上記センサの方へとビームスプリッタにより照明を差し向ける方法であり、そのビームスプリッタが、自身の縁が上記空間内に存するよう位置決めされる方法。
【請求項２９】
請求項２７又は２８に記載された方法であって、更に、上記走査方向に対し概ね直交するクロス走査方向に沿い、少なくとも二通りの付加的照明モダリティで以て、上記対象物のうち上記少なくとも２個のエリアを照明する方法。
【請求項３０】
請求項２９に記載された方法であって、上記少なくとも二通りの付加的照明モダリティが種々の波長符号化モダリティを含む方法。
【請求項３１】
請求項２９又は３０に記載された方法であって、上記少なくとも二通りの付加的照明モダリティが種々の偏向符号化モダリティを含む方法。
【請求項３２】
請求項２９〜３１のうち何れかに記載された方法であって、上記少なくとも二通りの付加的照明モダリティが種々の時間モダリティを含む方法。
【請求項３３】
請求項２１〜３２のうち何れかに記載された方法であって、少なくとも１個の透過型集光素子の方に光を差し向ける複数個の光源によって、上記照明を実行する方法。
【請求項３４】
請求項２１〜３２のうち何れかに記載された方法であって、少なくとも１個の反射型集光素子の方に光を差し向ける複数個の光源によって、上記照明を実行する方法。
【請求項３５】
請求項３３又は３４に記載された方法であって、上記複数個の光源が、対応する光導波路アレイへと光を出射する光源アレイを備える方法。
【請求項３６】
請求項３５に記載された方法であって、光整形素子アレイをも設け、上記光導波路アレイに備わる光導波路のうち少なくとも１個が各光整形素子に光を出射する方法。
【請求項３７】
請求項２１〜３６のうち何れかに記載された方法であって、更に、上記捕捉の後、上記像を処理する方法。
【請求項３８】
請求項３７に記載された方法であって、上記処理に際し、上記像を相互位置合わせする方法。
【請求項３９】
請求項３７又は３８に記載された方法であって、上記処理に際し、上記像を多重分離させる方法。
【請求項４０】
請求項２１〜３９のうち何れかに記載された方法であって、上記照明に際し、少なくとも±４５°なる角度範囲に亘り照明する方法。
【発明の詳細な説明】
【技術分野】
【０００１】
本発明は総じて光学検査システムに関し、より具体的には光学検査システムにて役立つマルチモダリティ多重化照明に関する。
【背景技術】
【０００２】
様々なタイプの光学検査システムが本件技術分野にて知られている。
【先行技術文献】
【特許文献】
【０００３】
【特許文献１】米国特許第７６４１３６５号明細書
【特許文献２】米国特許第５０５８９８２号明細書
【発明の概要】
【発明が解決しようとする課題】
【０００４】
本発明にて提供しようとしているのは、空間多重化マルチモダリティ照明が組み込まれた光学検査システムであり、少なくとも近全角的な覆域を有する広角照明を提供するものである。
【課題を解決するための手段】
【０００５】
即ち、本発明の好適実施形態に従い提供されるのは、照明サブシステム及び像感知サブシステムを有しその照明サブシステムが複数通りの照明モダリティを提供する検査システムであって、対象物のうち少なくとも２個のエリアを当該複数通りの照明モダリティのうち別々なもので以て同時照明し、当該像感知サブシステムの単一センサ形成部分によりそれらの像を捕捉するシステムである。
【０００６】
好ましくは、上記センサを、エリアセンサを有するものとする。
【０００７】
好ましくは、上記対象物のうち上記少なくとも２個のエリアを相互非連接的にする。
【０００８】
好ましくは、上記照明サブシステムを、上記複数通りの照明モダリティのうち上記別々なもので以て上記対象物のうち上記少なくとも２個のエリアをそれぞれ照明する、少なくとも２個のライトモジュールを有するものとする。
【０００９】
好ましくは、上記対象物及び本検査システムを、走査方向に沿い少なくとも近連続的に相対運動させる。
【００１０】
好ましくは、上記照明サブシステムをストロボ動作させることで、上記少なくとも近連続的な相対運動中に、上記対象物のうち上記少なくとも２個のエリアを照明する。
【００１１】
好ましくは、上記少なくとも２個のライトモジュールを、上記走査方向に沿った空間により互いに物理的に空間分離させ、且つ上記複数通りの照明モダリティに種々の角度照明モダリティを含める。
【００１２】
好ましくは、上記少なくとも２個のエリアからの照明を上記センサの方に差し向けるビームスプリッタをも有し、そのビームスプリッタが、自身の縁が上記空間内に存するよう位置決めされたシステムとする。
【００１３】
好ましくは、上記少なくとも２個のライトモジュールそれぞれにより、上記走査方向に対し概ね直交するクロス走査方向に沿い少なくとも二通りの付加的照明モダリティを提供する。
【００１４】
本発明の好適実施形態によれば、上記少なくとも二通りの付加的照明モダリティが、種々の波長符号化モダリティを含むものとされる。
【００１５】
これに加え又は代え、上記少なくとも二通りの付加的照明モダリティに種々の偏向符号化モダリティを含める。
【００１６】
更にこれに加え又は代え、上記少なくとも二通りの付加的照明モダリティに種々の時間モダリティを含める。
【００１７】
好ましくは、上記照明サブシステムを、少なくとも１個の透過型集光素子の方に光を差し向ける複数個の光源を有するものとする。
【００１８】
或いは、上記照明サブシステムを、少なくとも１個の反射型集光素子の方に光を差し向ける複数個の光源を有するものとする。
【００１９】
本発明の好適実施形態によれば、上記複数個の光源が、対応する光導波路アレイへと光を出射する光源アレイを有するものとされる。
【００２０】
好ましくは、光整形素子アレイをも有し、上記光導波路アレイに備わる光導波路のうち少なくとも１個が各光整形素子へと光を出射するシステムとする。
【００２１】
好ましくは、上記像を処理する画像処理サブシステムをも有するシステムとする。
【００２２】
好ましくは、上記処理に上記像の相互位置合わせを含める。
【００２３】
これに加え又は代え、上記処理に上記像の多重分離を含める。
【００２４】
好ましくは、上記照明サブシステムにより供給される照明を、少なくとも±４５°なる角度範囲に亘り拡がるものとする。
【００２５】
また、本発明の別の好適実施形態に従い提供されるのは、対象物を検査する方法であって、対象物のうち少なくとも２個のエリアを複数通りの照明モダリティのうち別々なもので以て同時照明し、当該少なくとも２個のエリアの像を単一のセンサにより捕捉するものである。
【００２６】
好ましくは、上記センサを、エリアセンサを有するものとする。
【００２７】
好ましくは、上記対象物のうち上記少なくとも２個のエリアを相互非連接的にする。
【００２８】
好ましくは、上記対象物のうち上記少なくとも２個のエリアを上記複数通りの照明モダリティのうち上記別々なもので以てそれぞれ照明する少なくとも２個のライトモジュールにより、上記照明を実行する。
【００２９】
好ましくは、上記対象物及び上記少なくとも２個のライトモジュールを、走査方向に沿い少なくとも近連続的に相対運動させる。
【００３０】
好ましくは、上記照明に際し、上記少なくとも近連続的な相対運動中に上記少なくとも２個のライトモジュールをストロボ動作させる。
【００３１】
好ましくは、上記少なくとも２個のライトモジュールを、上記走査方向に沿った空間により互いに物理的に空間分離させ、且つ上記複数通りの照明モダリティに種々の角度照明モダリティを含める。
【００３２】
好ましくは、更に、上記少なくとも２個のエリアから上記センサの方へとビームスプリッタにより照明を差し向け、またそのビームスプリッタを、自身の縁が上記空間内に存するよう位置決めする方法とする。
【００３３】
好ましくは、更に、上記走査方向に対し概ね直交するクロス走査方向に沿い、少なくとも二通りの付加的照明モダリティで以て、上記対象物のうち上記少なくとも２個のエリアを照明する方法とする。
【００３４】
本発明の方法の好適実施形態によれば、上記少なくとも二通りの付加的照明モダリティが、種々の波長符号化モダリティを含むものとされる。
【００３５】
これに加え又は代え、上記少なくとも二通りの付加的照明モダリティに種々の偏向符号化モダリティを含める。
【００３６】
更に加え又は代え、上記少なくとも二通りの付加的照明モダリティに種々の時間モダリティを含める。
【００３７】
好ましくは、少なくとも１個の透過型集光素子の方に光を差し向ける複数個の光源によって、上記照明を実行する。
【００３８】
或いは、少なくとも１個の反射型集光素子の方に光を差し向ける複数個の光源によって、上記照明を実行する。
【００３９】
本発明の方法の好適実施形態によれば、上記複数個の光源が、対応する光導波路アレイへと光を出射する光源アレイを有するものとされる。
【００４０】
好ましくは、光整形素子アレイをも設け、上記光導波路アレイに備わる光導波路のうち少なくとも１個が各光整形素子に光を出射する方法とする。
【００４１】
好ましくは、上記捕捉の後に上記像の処理も行う方法とする。
【００４２】
好ましくは、上記処理に上記像の相互位置合わせを含める。
【００４３】
これに加え又は代え、上記処理に上記像の多重分離を含める。
【００４４】
好ましくは、上記照明に、少なくとも±４５°なる角度範囲に亘る照明を含める。
【００４５】
本発明については、以下の図面と併せ後掲の詳細記述からより遺漏なく理解及び認識できよう。
【図面の簡単な説明】
【００４６】
【図１Ａ】マルチモダリティ多重化照明が組み込まれており本発明の好適実施形態に従い構成され動作する光学検査システムの概略図である。
【図１Ｂ】図１Ａに描かれているタイプのマルチモダリティ多重化照明具備光学検査システムの構成諸部材の概略ブロック図である。
【図２Ａ】図１Ａ及び図１Ｂに描かれているタイプの光学検査システムにおける照明及び像捕捉部材の概略前面図である。
【図２Ｂ】図１Ａ及び図１Ｂに描かれているタイプの光学検査システムにおける照明及び像捕捉部材の概略斜視図である。
【図３】本発明の好適実施形態に係るマルチモダリティ多重化照明を描いた概略空間時間チャートである。
【図４】本発明の別の好適実施形態に係るマルチモダリティ多重化照明を描いた概略空間時間チャートである。
【図５】本発明の更なる好適実施形態に係るマルチモダリティ多重化照明を描いた概略空間時間チャートである。
【図６】本発明のなおも別の好適実施形態に係るマルチモダリティ多重化照明を描いた概略空間時間チャートである。
【図７Ａ】図１Ａ〜図１Ｂに示されているタイプのシステムの照明出力との関連で光学素子配列を示す概略前面図である。
【図７Ｂ】図１Ａ〜図２Ｂに示されているタイプのシステムの照明出力との関連で光学素子配列を示す概略斜視図である。
【図８Ａ】本発明の好適実施形態に従い構成され動作するマルチモダリティイルミネータ（照明器）であり、マルチモダリティ多重化照明を供給するのに適するものの、概略斜視図である。
【図８Ｂ】本発明の好適実施形態に従い構成され動作しマルチモダリティ多重化照明を供給するマルチモダリティイルミネータの概略前面図である。
【図８Ｃ】本発明の好適実施形態に従い構成され動作しマルチモダリティ多重化照明を供給するのに適するマルチモダリティイルミネータの概略側面図である。
【図８Ｄ】本発明の好適実施形態に従い構成され動作しマルチモダリティ多重化照明を供給するのに適するマルチモダリティイルミネータの概略集合図である。
【図９Ａ】本発明の別の好適実施形態に従い構成され動作しマルチモダリティ多重化照明を供給するのに適するマルチモダリティイルミネータ概略斜視図である。
【図９Ｂ】本発明の別の好適実施形態に従い構成され動作しマルチモダリティ多重化照明を供給するのに適するマルチモダリティイルミネータの概略前面図である。
【図１０Ａ】本発明のなおも別の好適実施形態に従い構成され動作しマルチモダリティ多重化照明を供給するのに適するマルチモダリティイルミネータの概略斜視図である。
【図１０Ｂ】本発明のなおも別の好適実施形態に従い構成され動作しマルチモダリティ多重化照明を供給するのに適するマルチモダリティイルミネータの概略前面図である。
【図１１Ａ】図８Ａ〜図１０Ｂのうち何れかに描かれているタイプのマルチモダリティイルミネータの一部分からの順次光出力を描いた概略図である。
【図１１Ｂ】図８Ａ〜図１０Ｂのうち何れかに描かれているタイプのマルチモダリティイルミネータの一部分からの順次光出力を描いた概略図である。
【図１１Ｃ】図８Ａ〜図１０Ｂのうち何れかに描かれているタイプのマルチモダリティイルミネータの一部分からの順次光出力を描いた概略図である。
【図１１Ｄ】図８Ａ〜図１０Ｂのうち何れかに描かれているタイプのマルチモダリティイルミネータの一部分からの順次光出力を描いた概略図である。
【図１１Ｅ】図８Ａ〜図１０Ｂのうち何れかに描かれているタイプのマルチモダリティイルミネータの一部分からの順次光出力を描いた概略図である。
【図１１Ｆ】図８Ａ〜図１０Ｂのうち何れかに描かれているタイプのマルチモダリティイルミネータの一部分からの順次光出力を描いた概略図である。
【図１１Ｇ】図８Ａ〜図１０Ｂのうち何れかに描かれているタイプのマルチモダリティイルミネータの一部分からの瞬時光出力を描いた概略図である。
【図１２Ａ】本発明の別の好適実施形態に従い構成され動作するマルチモダリティイルミネータの一部分からの光出力を描いた概略図である。
【図１２Ｂ】本発明の別の好適実施形態に従い構成され動作するマルチモダリティイルミネータの一部分からの光出力を描いた概略図である。
【図１３】図８Ａ〜図９Ｂのうち何れかに描かれているタイプのマルチモダリティイルミネータにより提供される照明の角度覆域の概略グラフである。
【図１４】図８Ａ〜図１２Ｂに描かれているタイプのシステムにより提供される多重化照明の多重分離を実行するのに役立つ潜在的光学素子配列の概略図である。
【図１５】図８Ａ〜図１２Ｂに描かれているタイプのシステムにより提供される多重化照明の多重分離を実行するのに役立つ別の潜在的光学素子配列の概略図である。
【図１６Ａ】図８Ａ〜図１２Ｂに描かれているタイプのシステムにより提供される多重化照明の多重分離を実行するのに役立つ別の潜在的光学素子配列の概略図である。
【図１６Ｂ】図８Ａ〜図１２Ｂに描かれているタイプのシステムにより提供される多重化照明の多重分離を実行するのに役立つ別の潜在的光学素子配列の概略図である。
【発明を実施するための形態】
【００４７】
まず参照するのは図１Ａ、即ち本発明の好適実施形態に従い構成され動作するマルチモダリティ多重化照明具備光学検査システムの概略図と、図１Ｂ、即ち図１Ａに描かれているタイプのマルチモダリティ多重化照明具備光学検査システムの構成部材の概略ブロック図である。
【００４８】
図１Ａ及び図１Ｂに示す通り、提示されている光学検査システム１００は好適にも光学ヘッド１０２を有しており、またその光学ヘッドがテーブル１０４に対し空間を隔て実装されている。テーブル１０４は、好適にも、光学ヘッド１０２により照明及び検査される対象物１０６をその上に配置しうるよう工夫されており、この例ではその対象物が印刷回路基板（ＰＣＢ）基板１０６として具象化されている。とはいえ、対象物１０６は光学検査システム１００による検査に適するどのような物体として具象化されてもよく、専らその例としては、ウェハ又はウェハダイ、組み付けられたＰＣＢ、フラットパネルディスプレイ及びソーラエネルギウェハがある。
【００４９】
光学検査システム１００は、好適にも、複数通りの照明モダリティを好適に提供する照明サブシステム１２０、並びに像感知サブシステム１２２を有している。ここでは、専ら一例として、照明サブシステム１２０がイルミネータ１２４を備え且つ像感知サブシステム１２２がカメラ１２６を備えることが示されており、好適にもそれらイルミネータ１２４及びカメラ１２６の動作が図１Ｂに示す画像処理兼制御用電子回路１２８により制御されている。
【００５０】
本発明の好適実施形態の際立った特徴は、好適にも、光学検査システム１００により対象物１０６の少なくとも２個のエリア、例えば図１Ａに示す第１、第２及び第３エリア１３０，１３２，１３４が同時照明されること、またそれが照明サブシステム１２０により提供される複数通りの照明モダリティのうち別々なもので以て行われることにある。照明サブシステム１２０により照明されたそれら少なくとも２個のエリアの像が、好適にも、カメラ１２６内に組み込まれた単一のセンサ１３６により捕捉される。センサ１３６は好適にもエリアセンサとされており、好適にも像感知サブシステム１２２の一部分を形成している。
【００５１】
像を像感知サブシステム１２２により捕捉した後、処理兼制御用電子回路１２８により画像処理を実行することで、好適にも、広い照明角覆域で以て対象物１０６がカバーされる。更に、そうした広い照明角覆域は、その具体的用途次第では、その角度範囲に亘り全域的又は近全域的な覆域となり、その狭間に無視しうるほどの角度ギャップしか生じないので、有益なことに、図２Ａ及び図２Ｂを参照し後に更に詳述する通り、対象物１０６につき広く且つ少なくともほぼ無ギャップな角度覆域をもたらすことができる。
【００５２】
光学検査システム１００は、好適にも、基板１０６の連続走査を実行するよう動作させることができる。走査中に、基板１０６を好適にも光学ヘッド１０２に対し連続運動させること及びイルミネータ１２４を好適にも周期的にストロボ動作させることで、後に更に詳述する通り、基板１０６がイルミネータ１２４に対し所定位置となるのに相当する時点で、基板１０６を照明することができる。カメラ１２６は、好適にも、イルミネータ１２４により提供される複数通りの照明モダリティにより照明されている基板１０６の像を捕捉するよう、動作させることができる。
【００５３】
光学ヘッド１０２及びテーブル１０４の運動は、モーションサブシステム１４０により制御することができる。イルミネータ１２４のストロボ動作及びそれに対応しカメラ１２６が行う像捕捉の精密なタイミングは、様々な制御及び処理アルゴリズム１４４が組み込まれたマスタコンピュータ１４２により制御することができる。電力は、好適にも電源モジュール１４６により、光学ヘッド１０２内に備わるイルミネータ１２４及びカメラ１２６の双方に供給することができる。
【００５４】
理解し得るように、光学ヘッド１０２に対する基板１０６の連続的相対運動を、基板１０６を静止状態に保ちつつ、光学ヘッド１０２の走査方向１５０沿い運動により引き起こすことができる。これに代え、その種の連続的相対運動を、静止光学ヘッド１０２に対する基板１０６の運動によるもの、或いは基板１０６及び光学ヘッド１０２の相互運動によるものとしてもよい。静止基板１０６に対する光学ヘッド１０２の走査方向１５０沿い運動を基準としてシステム１００の動作を後述するけれども、基板１０６及び光学ヘッド１０２の走査方向１５０沿い連続的相対運動をもたらす他の運動モードにも、その動作諸原理を相応に適用することができる。
【００５５】
理解し得るように、本発明の検査システム１００がこうして好適に連続走査モードにて動作する際、イルミネータ１２４が光学ヘッド１０２に対する基板１０６の運動と同期しストロボ動作することで、エリアセンサ１３６により基板１０６の像が捕捉されることとなる。連続走査モードでのシステム１００の動作は高い走査速度をもたらすものであり、またその高い走査速度は、電子回路基板の検査においてひときわ望ましいものである。
【００５６】
更に、連続走査の実行と併せ、ライン型イメージセンサではなくエリアセンサ、例えばエリアセンサ１３６を像捕捉に用いることで、カメラ１２６に対する光供給の効率が改善されるので、ライン型イメージセンサを採用した場合に得られるであろう速度よりも高い速度にて、カメラ１２６による像捕捉を実行することができる。これに加え又は代え、エリアセンサ１３６の使用に起因する光効率改善を利用し、後に更に詳述する通り、より単純で信頼性の高いイルミネータを目指すことができる。
【００５７】
ライン型イメージセンサではなくエリア型センサ１３６を採用することで、本発明にて好適にも達成される光効率改善は、幾通りかの要因に帰着させうる。第１に、エリア型センサ１３６の使用が、対応するイルミネータ１２４のエリア効率良好化につながるのは、カメラ１２６の照明野を有効カメラ視野（ＦＯＶ）と実質的に同サイズにすることができ、ひいては光浪費量を減らすことができるためである。対照的に、ラインセンサを採用した場合は、イルミネータ１２４により照明されるエリアが、カメラにより感知されるライン状の視野よりもかなり幅広になりえ、ひいては光浪費が発生する。
【００５８】
ラインではなくエリア型のイメージセンサセンサを用いることによる照明効率の改善は、対象物例えば対象物１０６上にある２０ｍｍ幅ストリップの撮像を考察することで、納得することができる。ラインセンサを用いそうした撮像を実行する場合、通常は、カメラにより撮像される瞬時ＦＯＶが走査方向に沿い１０μｍの「深さ」になる、即ちそのラインカメラが２０ｍｍ×１０μｍのエリアを「見る」こととなろう。このＦＯＶを適切に照明するには、そのイルミネータにより均一に照明される照明野を、各方向に沿い±０．５ｍｍ分、広めにすべきである。均一照明対象となる実照明ストリップが、現実的設計及び構成配慮故に約２１ｍｍ×１ｍｍになるのであるから、対象物１０６に供給される光エネルギの浪費は約１００倍になろう。これに対し、本発明の好適諸実施形態に従い、エリアセンサを用い２０ｍｍ幅ストリップの撮像を実行する場合、カメラのＦＯＶが、個々の寸法が約２０ｍｍ×２ｍｍのストリップ状領域数本で構成されることとなる。同様の現実的設計及び構成配慮下での個々の均一照明領域は、この場合は約２１ｍｍ×３ｍｍとなり、対象物１０６に供給される光エネルギの浪費がたった３３％となろう。
【００５９】
加えて、エリア型センサ１３６の使用により、ライン型センサ採用時に実現可能であろうそれより短いデューティサイクルの光ストロボで以て、イルミネータ１２４を動作させることが可能となる。デューティサイクルは、一般に、走査方向１５０に沿った照明モダリティ毎のセンサロー本数増分の逆数と等しく、センサ１３６では１００〜５０００の範囲内となりうる。デューティサイクル低減により、除熱及び電気駆動の必要性を低減しつつ光レベルを増大させることが可能となるので、システムの複雑性及びコストの低減を達成することができる。
【００６０】
これ以外の長所を理解する土台にすべく、以下、詳細な記述を提供する。
【００６１】
システム１００の構造及び動作に関する子細を関し最良にご理解頂くには図２Ａ及び図２Ｂ、即ち図１Ａ及び図１Ｂに描かれているタイプの光学検査システムにおける照明及び像捕捉部材の概略前面図及び斜視図を付加的に参照すればよい。
【００６２】
まず、図２Ａ及び図２Ｂに示す通り、イルミネータ１２４は、基板１０６のうち第１エリア１３０を照明する第１ライトモジュール１５２、基板１０６のうち第２エリア１３２を照明する第２ライトモジュール１５４、並びに基板１０６のうち第３エリア１３４を照明する第３ライトモジュール１５６を備えている。第１、第２及び第３エリア１３０，１３２，１３４は、好適にも、カメラ１２６の視野（ＦＯＶ）１６０内に存している。即ち、カメラ１２６のＦＯＶ１６０が、走査方向１５０に対し概ね平行な方向に沿い３個のエリア１３０，１３２，１３４へと実質的にセグメント化されており、それらエリアそれぞれが、好適にも、ライトモジュール１５２〜１５６のうち対応するものにより照明されている。
【００６３】
第１、第２及び第３ライトモジュール１５２，１５４，１５６は、それぞれ、好適にも、互いに異なる角度から第１、第２及び第３エリア１３０、１３２及び１３４のうち対応するものを照明するよう配置されており、従ってＦＯＶ１６０に対しては互いに異なる三通りの角度照明モダリティが提供されることとなる。それら互いに異なる角度モダリティは、好適にも、走査方向１５０沿い方向にてイルミネータ１２４により同時提供される。図２Ａ中に大変明瞭に示されている通り、イルミネータ１２４により提供されるそれら三通りの角度モダリティにより、好適にも、走査方向１５０に沿い全体で±約４５°に亘る覆域が集合的にもたらされる。
【００６４】
各ライトモジュール１５２，１５４，１５６は、好適にも非点収差集光器１６２を備えており、ＦＯＶ１６０のうち対応する照明先エリア上へとその集光器により光ストリップが投射されている。非点収差集光器１６２は、「線形光集光器」(Linear Light Concentrator)と題し本発明と同じ譲受人に譲受されており且つ参照により本願に繰り入れられている特許文献１に、記載されているタイプのものとすることができる。
【００６５】
複数個の照明モジュール１５２，１５４，１５６によりストリップ状の又は細長い照明野１３０，１３２，１３４が照明されるので、高効率な非結像合焦非点収差集光器１６２を用いることが可能となる。そうした非点収差集光器であれば、実質的に均一、シフト不変且つ無ケラレな光野をクロス走査方向に沿い広角に亘りもたらすことができ、それにより浪費の多い散光器や本件技術分野で既知な他のタイプのホモジナイズ化（均質化）光学素子の必要性を、なくすことができる。そうした集光素子を数個、互いに異なる様々な角度で組み合わせることで、更に好適にも、走査方向１５０沿い角度覆域全体を拡張することが可能となる。本発明の照明モジュール１５２，１５４，１５６の空間多重化に起因する更なる長所については、後に詳述する。
【００６６】
本発明の好適実施形態の際立った特徴は、ライトモジュール１５２，１５４，１５６により投射される照明が、各ライトモジュールにより投射される光ストリップの境界より内側で、このように好適にも実質的にシフト不変且つ無ケラレであるため、各ライトモジュールの角度範囲に亘り近全域的又は全域的な角度覆域がもたらされることにある。
【００６７】
理解し得るように、ライトモジュール１５２，１５４，１５６により投射される光ストリップのシフト不変及び無ケラレ特性は、後に詳述する通り、ストリップ横方向及び長尺方向に沿いそのストリップの縁にある有限領域内を除き、各モジュールにより投射される光ストリップの大半を通じ成り立つ。結果として、照明の角度分布が、その照明ストリップ内における位置によらず実質的に不変に保たれる。
【００６８】
ライトモジュール１５２，１５４，１５６により投射される照明に光ケラレが現れていると、観測点が各光ストリップの中央から外れるにつれ照明数値開口（ＮＡ）内で角度ギャップの緩やかな拡幅が生じ、イルミネータ１２４の実行能力、ひいてはシステム１００の検査能力が制約されることとなろう。
【００６９】
均一、マルチモーダル、シフト不変、効率的且つ少なくともほぼ無ギャップな照明が本発明の好適諸実施形態により提供されることは、大変に有益なことである。本件技術分野で既知な狭角覆域照明システムであり、結像型集光器を採用していて幾ばくかは比較になりそうなものとは対照的に、本発明では、好適にも、走査方向及びクロス走査方向の双方に沿い広い角度覆域を有するマルチモーダル、均一且つシフト不変な照明が提供される。
【００７０】
カメラ１２６により感知される領域に亘り、実質的に均一で実質的に無ギャップな広ＮＡ照明をイルミネータ１２４により提供することは、システム１００により実行される基板検査の効能を改善する上で、大変に有益である。何故なら、電子回路基板の検査には、通常、画像をセグメント化すること、ひいてはある素材のパターンを他素材のパターンから或いは下地基板素材から弁別することが必須になるからである。そうしたセグメント化では、往々にして、検査対象物を広照明角且つ実質的に無ギャップでカバーすることが必要となる。例えば、ＰＣＢの誘電体基板に対する銅トレースの効率的セグメント化には、通常、０．７なるＮＡに亘り照明角覆域が拡がることが必要であり、これは±約４５°なる合計照明角に相当している。有益にも、そうした広角で実質的に無ギャップな照明が本発明の好適諸実施形態により提供される。
【００７１】
更に、各ライトモジュール１５２、１５４及び１５６の能力のうち、実質的に均一な角度覆域をもたらす能力は、個別モジュールそれぞれによりカバーされる角度間に意図的なギャップを設けることが望ましい場合でさえ、有益なことである。何故なら、本発明の諸実施形態では、そうした意図的なギャップを精密に設計及び実現できるのであり、従来型照明システムの場合に通例であったのとは違い、各モジュールにより投射される照明野内で制御外ケラレの結果として生じるのではないからである。
【００７２】
理解し得るように、本願にて描出した如く、３個のライトモジュール１５２，１５４，１５６によりＦＯＶ１６０を照明し、それに対応してＦＯＶ１６０を３個の照明エリア１３０，１３２，１３４に実質分割することは、一例に過ぎない。システム１００の設計仕様に従い、ＦＯＶ１６０を２個以上のエリアへと分割すればよく、イルミネータ１２４も相応に設計すればよい。
【００７３】
イルミネータ１２４により照明される少なくとも２個のエリアは、必須ではないが非連接的なものとするのが望ましく、ここで描かれている例では照明ストリップ１３０，１３２，１３４が一群のギャップ１６４により相互分離されている。図２Ａにて大変明瞭に示されている通り、ＦＯＶ１６０内のストリップ１３０，１３２，１３４上に射突した光は、好適にも、そこからビームスプリッタ１７０の方へと反射される。ビームスプリッタ１７０は、好適にも、部分透過性であるので、ライトモジュール１５４により供給される光を基板１０６のストリップ１３２上に入射させることができ、且つ部分反射性であるので、カメラ１２６により照明ストリップ１３０，１３２，１３４全てを観測することができる。ビームスプリッタ１７０は、好適にも、ビームスプリッタ１７０の縁により持ち込まれる照明不均一性及び漏洩光効果が最小化されるよう、照明ストリップ１３０，１３２，１３４及びギャップ１６４を基準として配置されている。照明ストリップ１３０，１３２，１３４の有効幅を約０．５〜２ｍｍとすることができる。
【００７４】
各照明ストリップの有効幅、即ち以下の記述で単に幅とも称されるそれは、照明野が実質的に均一且つシフト不変となる領域として定義することができる。この有効幅は、光源例えばＬＥＤの物理的サイズ、並びに各ライトモジュール１５２，１５４，１５６にて採用されている集光器１６２の光学特性、の双方に関連している。既述の通り、この有効幅は、通常、各照明ストリップを画定する照明光エネルギの総拡散よりも、幾ばくか小さくなる。
【００７５】
理解し得るように、各モジュール１５２，１５４，１５６により照明されるストリップの有効幅は大変重要なパラメタであり、それにより各撮像モダリティの光ストロボデューティサイクルが決定付けられる。このことは、カメラ１２６内に組み込まれたエリアセンサ１３６の各画素ローによりＦＯＶ１６０内５μｍ領域が撮像される例を考察することで、納得することができる。既述の通り、走査中には、好適にも、基板１０６を光学ヘッド１０２に対し連続運動させる。撮像品質の損失を避けるため、イルミネータ１２４を、好適にも、単一画素ローにより撮像される領域のサイズ即ち本例での５μｍと、実質的に同じ走査距離に相当する期間に亘り、好適にもストロボ動作させる。現実的には、そのストロボ動作持続時間に相当する走査距離を、具体的用途にもよるが、撮像品質の過度な損失無しで、１μｍ以下の範囲内にすることや、システム光バジェット上許容されるのであれば最大約１０μｍにもすることができる。ストリップ１３０，１３２，１３４の幅が１ｍｍであれば、各照明モダリティを１ｍｍの走査増分にてストロボすることで、約１：２００のストロボデューティサイクルが得られよう。注記すべきことに、この結果は、図５を参照し後に詳述する通り、各照明ストリップ１３０，１３２，１３４内へと投射される照明モダリティの個数とは無関係である。
【００７６】
ギャップ１６４の幅は、ストリップ１３０，１３２，１３４の幅とほぼ等しくすることができる。ビームスプリッタ１７０の好適配置でありそれに起因する照明不均一性を最小化しうるものの子細は、図７Ａ及び図７Ｂを参照し後述する。
【００７７】
ビームスプリッタ１７０上に入射した光は好適にも鏡１７２の方に方向転換され、その鏡１７２にてその光が好適にもカメラ１２６の方に反射される。好適にも鏡１７２及びカメラ１２６に面するレンズ１７４によって、光が好適にもカメラ１２６上に合焦される。カメラ１２６内センサ１３６によって、好適にも、基板１０６から反射されてきた入射光が検出される。単一のセンサ即ちエリアセンサ１３６をこのように動作させることで、カメラ１２６のＦＯＶ１６０内のエリア１３０，１３２，１３４全ての像を、好適にも、互いに異なる角度照明モダリティで以てイルミネータ１２４によりそれらエリアを同時照明しつつ、捕捉することができる。本発明の好適諸実施形態にて役立つセンサの好適例には、ベルギーのＡＭＳ  ＳｅｎｓｏｒｓによるＣＭＶ１２０００（商品名）や、ソニーによるＩＭＸ２５３ＬＬＲ（商品名）がある。これらのセンサを装備したカメラは、ドイツのＢａｓｌｅｒ、Ｆｌｉｒ及びカナダ国ブリティッシュコロンビア州のＥＶＴ等といったサプライヤから、入手することができる。
【００７８】
レンズ１７４は、好適にも、０．３倍〜３倍の範囲内の倍率を有するテレセントリック撮像レンズとされている。好適にもＦＯＶ１６０・レンズ１７４間光路全体が空気中にあるので、レンズ１７４を、所望の倍率、分解能及びＦＯＶを有する市販のレンズとして具象化することができる。また、特殊用途向けであれば、相応しいレンズを、ドイツのＱｉｏｐｔｉｑ  Ｐｈｏｔｏｎｉｃｓ  ＧｍｂＨ＆Ｃｏ  ＫＧ及びＪｏｓ．  Ｓｃｈｎｅｉｄｅｒ  Ｏｐｔｉｓｃｈｅ  Ｗｅｒｋｅ  ＧｍｂＨ等といった製造業者による仕様に従い、カスタム設計及び生産することができる。
【００７９】
本発明の好適諸実施形態の際立った特徴は、走査方向１５０に沿いイルミネータ１２４により提供される複数通りの角度照明モダリティに加え、走査方向１５０に対し概ね直交するクロス走査方向１８０に沿い付加的なサブ角度照明モダリティが提供されるよう、イルミネータ１２４を好適にも付加的に構成し動作させうることにある。クロス走査方向１８０に沿い提供される付加的なサブ角度照明モダリティには、本件技術分野に習熟した者（いわゆる当業者）にはお判りいただける通り、種々の偏向符号化モダリティ、種々の波長符号化モダリティ、種々の時間多重化モダリティ、並びに他の何らかの可変的照明モダリティであり種々の角度照明モダリティを符号化しうるもののうち、一通り又は複数通りを含めることができる。
【００８０】
このように、イルミネータ１２４により提供される広い照明角覆域が、好適にも、個別に切換可能で感知される複数通りの照明モダリティへと分割され、各照明モダリティにより好適にも基板１０６の単一ディスクリートセグメント、例えば走査方向１５０に沿いアレイをなすエリア１３０，１３２，１３４が照明される。各走査方向角セグメントが、好適にも、クロス走査方向１８０に沿いアレイをなす多数の角度サブセグメントへと更に分割される。好適にも、各角度セグメント及びサブセグメントが独立切換可能な照明モダリティで構成されるところ、時間、波長及び偏向符号化方式のうち一通り又は複数通りを採用することで、それら様々なモダリティ間のクロストークを最小化することができる。
【００８１】
角度セグメント全ての同時作動は、効率的なパターン弁別に必要となるであろう、全域的で実質的に均一、実質的に無ギャップな広ＮＡ照明の復元・再現につながる。その後、基板１０６の各部分に入射する照明モダリティ全てをコンピュータ１４２により情報処理的に多重分離させることで、被検査基板１０６のマルチモーダル画像を生成することができる。
【００８２】
本発明はこうして実質的に均一、実質的に無ギャップ且つ実質的にシフト不変なマルチモダリティ照明を広い角度に亘り提供するものであり、これは連続走査モードでエリア型イメージセンサを動作させることと調和している。
【００８３】
マルチモダリティ光の向きを、走査方向１５０及びクロス走査方向１８０の双方に沿い良好画定された可変的な角度とし、その光で以て基板１０６を照明することは、基板１０６側の潜在的欠陥の正確な特性解明を支援する上で有用たりうる。とりわけ、照明モダリティの多数使用により実欠陥識別性が改善され、良性な基板フィーチャ（外形特徴）のフォルスポジティブ識別が減ることとなる。更に、走査方向１５０に沿い照明セグメントを分離させることで、図７Ａ及び図７Ｂを参照し後に詳述する通り、物理的障害を回避してイルミネータを構成することも容易となる。
【００８４】
種々の波長，偏向を用い種々のクロス走査照明角を多重化しうる方法については、それぞれ、図１１Ａ、図１１Ｂ及び図１１Ｃ，図１２Ａ及び図１２Ｂとの関連で後に詳述する。分離されているエリア１３０，１３２，１３４間で走査方向角度モダリティを分けることについては、図７、図８、図９及び図１０との関連で後述する。
【００８５】
次に参照する図３は、本発明の好適実施形態に係るマルチモダリティ多重化照明を描いた概略空間時間チャートである。
【００８６】
図３に示す通り、システム１００により提供されるマルチモダリティ多重化照明の例を、空間時間チャート３００なる形態で表現することができる。チャート３００の横軸は走査方向１５０に沿い延びており、チャート３００の縦軸は時間又はフレーム計数値を表している。
【００８７】
図３にてチャート化されている照明方式例では、三通りの角度照明モダリティが走査方向１５０に沿い３個の空間領域１３０，１３２，１３４へとそれぞれ配給されており、またそれを補完するため、三通りの波長符号化角度の照明がクロス走査方向１８０に沿い各空間領域１３０，１３２，１３４内に好適にも同時配給されている。とりわけ好適なことに、第１群をなす角度照明モダリティ３１０であり３個の波長符号化チャネルで構成されているものが、好適にも第１空間領域１３０に配給されており、第２群をなす別の角度照明モダリティ３２０でありそれと同じ３個の波長チャネルにより符号化されているものが、好適にも第２空間領域１３２に供給されており、第３群をなす更に別の角度照明モダリティ３３０でありやはり同じ３個の波長チャネルにより符号化されているものが、好適にも第３空間領域１３４に配給されている。第１、第２及び第３空間領域１３０，１３２，１３４は、好適にも、イルミネータ１２４がストロボ動作しているときにそれら３群の照明角度モダリティ３１０，３２０，３３０のうち対応するものによって同時照明される。
【００８８】
各時間ステップ又はフレームではイルミネータ１２４がストロボ動作し、エリア１３０，１３２，１３４が、好適にも、対応する群の照明角度モダリティ３１０，３２０，３３０でありそれぞれ三通りの照明波長により符号化されているものによって同時照明される。照明エリア１３０，１３２，１３４は、図３では、各エリアを照明する３個の波長チャネルを表す３本重ねの横棒として記されており、イルミネータ１２４がストロボ動作する瞬間それぞれにおけるＦＯＶ１６０の概念的断面図に相当するものとして理解することができる。
【００８９】
好適なことに、図３に描かれている照明モダリティは、それぞれ、走査運動による横断が各エリア１３０，１３２，１３４の走査方向１５０沿い幅相当期間になるたびにストロボ動作する。
【００９０】
各フレームは好適にもカメラ１２６により捕捉される。この場合、好適にも、カメラ１２６に複数個のセンサ１３６を組み込むことで各波長の光を感知することが可能となり、ビームスプリッタ１７０を適宜構成することで、３個の波長チャネル全てで部分透過及び反射させることが可能となる。
【００９１】
イルミネータ１２４のストロボ動作中及びストロボ動作後は、光学ヘッド１０２を、好適にも走査方向１５０に沿い連続運動させる。イルミネータ１２４を、好適にも、光学ヘッド１０２が走査方向１５０に沿い各エリア１３０，１３２，１３４の全幅又はほぼ全幅を横断移動するのに相当する期間にて、ストロボ動作させる。従って、基板１０６上にあり括り領域３５０内に含まれている各点は、好適にも、３個のエリア１３０，１３２，１３４それぞれにてカメラ１２６により、且つ群３１０，３２０，３３０に含まれる三通りの照明波長それぞれにより照明されつつ、順次撮像される。従って、基板１０６上にあり括り領域３５０内に含まれている各点を照明する照明角度モダリティは、三通りの波長符号化モダリティにより基板１０６上の３個の空間領域それぞれが照明されることに相応し合計九通りとなる。本願記載の如き三通りの波長モダリティの使用は一例にすぎず、これに代え二通りの或いは三通り超の波長符号化モダリティを用いることもできる。
【００９２】
物理的に別体な照明モジュールが採用されない在来照明手法にて通例であった如く三通りの走査方向角度モダリティ全てが同じ照明ストリップ上に入射するのであれば、イルミネータ１２４が、相次ぐストロボ間にて照明ストリップ幅の約１／３にしか相当しない期間でしかストロボ動作せず、且つ各ストロボ動作にて三通りの別々なモダリティしか作動させないようにしないと、クロストークを回避することができないであろう。これは、走査方向角度モダリティが個々別々なストリップ上に入射するため各ストロボ動作にて九通りのモダリティを作動させうる本発明の方法とは、対照的である。即ち、固定フレームレートにて動作するイメージセンサをそうした在来システムにて採用すると、図３の好適配置に比し３倍の走査速度損失が生じることとなろう。
【００９３】
更に、そうした在来システムでは、多数の画像重複が小さなストロボ動作増分間で必要となるので、走査速度が更に低下することとなろう。即ち、本発明では、物理的に別体な照明モジュールを採用することで、そうした物理的に別体な照明モジュールが採用されない在来照明システムとは対照的に、高い走査速度が上首尾に実現される。
【００９４】
基板１０６の全長に亘る走査の後は、好適にも、基板１０６のクロス走査方向１８０沿い幅を踏まえたテーブル１０４の運動により、基板１０６をクロス走査方向１８０に沿い漸進的にシフトさせることができる。その上で、上述のプロセスを、基板１０６の全体が走査され終えるまで繰り返せばよい。基板１０６が十分に狭幅であり、及び／又は、ライトモジュール１５２，１５４，１５６がクロス走査方向１８０に沿い十分に長ければ、システム１００にて基板１０６の単一パス走査を実行し基板１０６のクロス走査方向運動を不要にすることができる。
【００９５】
本願記載の如き照明角度モダリティの波長符号化は、検査下基板が採用波長域内で実質的に波長不可知な場合に、ひときわ有用たりうる。例えばＰＣＢ検査では、銅の反射率が約６００ｎｍ超の波長で実質的に不変となる。従って、約６００ｎｍ〜約９５０ｎｍ域に属する多数の個別チャネルを用いた波長符号化を採用することで、甚だしい反射率変動偽像の発生をなくすことができる。そうした場合、個別波長におけるカメラセンサ相対応答に関し諸モダリティ像を等化させることに注意を払わねばならない。照明角度モダリティの波長符号化は、採用波長域全体に亘り基板が実質的に角度不可知な場合におけるカラー又はマルチスペクトル像捕捉にも有用たりうる。こうしたことは、高度に散光的な準ランベルト反射面で起こりうる。
【００９６】
こうした波長符号化多角度照明を提供するのに用いられるイルミネータ１２４の構造及び動作に関する子細は、図８Ａ〜図９Ｂを参照し後述する。
【００９７】
次に参照する図４は、本発明の別の好適実施形態に係るマルチモダリティ多重化照明を描いた概略空間時間チャートである。
【００９８】
図４に示す通り、システム１００により提供されるマルチモダリティ多重化照明の例を、空間時間チャート４００なる形態で表現することができる。チャート４００の横軸は走査方向１５０に沿い延びており、チャート４００の縦軸は時間又はフレーム計数値を表している。
【００９９】
図４にてチャート化されている照明方式例では、三通りの角度照明モダリティが３個の空間領域１３０，１３２，１３４に対応付けられており、またそれを補完するため、二通りの偏向の照明が各空間領域１３０，１３２，１３４内に好適にも同時配給されている。とりわけ好適なことに、２個の符号化角度チャネルで構成されていて第１群をなす照明モダリティ４１０が好適にも第１空間領域１３０に配給されており、それと同じ２個の偏向符号化チャネルで構成されていて第２群をなす別の照明角度モダリティ４２０が好適にも第２空間領域１３２に供給されており、やはりそれと同じ２個の偏向符号化チャネルで構成されていて第３群をなす別の照明角度モダリティ４３０が好適にも第３空間領域１３４に配給されている。第１、第２及び第３空間領域１３０，１３２，１３４は、好適にも、イルミネータ１２４がストロボ動作しているときそれら３群の照明モダリティ４１０，４２０，４３０のうち対応するものにより同時照明される。
【０１００】
各時間ステップ又はフレームではイルミネータ１２４がストロボ動作し、エリア１３０，１３２，１３４が、好適にも、対応する群の照明角度モダリティ４１０，４２０，４３０でありそれぞれ二通りの偏向の照明を含むものにより同時照明される。照明エリア１３０，１３２，１３４は、図４では、各エリアを照明する２個の偏向チャネルを表す２本重ねの横棒として記されており、イルミネータ１２４がストロボ動作する瞬間それぞれにおけるＦＯＶ１６０の概念的断面図に相当するものとして理解することができる。
【０１０１】
各フレームは好適にもカメラ１２６により捕捉される。この場合、好適にも、カメラ１２６に一対のセンサ１３６を組み込むことで各偏向の光を感知することが可能となり、ビームスプリッタ１７０を適宜構成することで、両偏向を部分的に透過させ且つ部分的に反射させることが可能となる。
【０１０２】
イルミネータ１２４のストロボ動作中及びストロボ動作後は、光学ヘッド１０２を、好適にも走査方向１５０に沿い連続運動させる。イルミネータ１２４を、好適にも、光学ヘッド１０２が走査方向１５０に沿い各エリア１３０，１３２，１３４の全幅又はほぼ全幅を横断移動するのに相当する期間にて、ストロボ動作させる。従って、基板１０６上にあり括り領域４５０内に含まれている各点は、好適にも、３個のエリア１３０，１３２，１３４それぞれにてカメラ１２６により、且つ群４１０，４２０，４３０に含まれる二通りの偏向符号化照明角度モダリティそれぞれにより照明されつつ、順次撮像される。従って、基板１０６上にあり括り領域４５０内に含まれている各点を照明する照明角度モダリティは、好適にも、基板１０６上の３個の空間領域が二通りの偏向モダリティにより照明されることに相応し合計六通りとなる。
【０１０３】
在来照明システムでは通例たりうる如く六通りの偏向符号化角度モダリティ全てが単一のストリップ上に入射するのであれば、光学ヘッド１０２が、ストロボ動作間で照明ストリップ幅の約１／３しか漸増せず、且つ各ストロボ動作にて二通りの角度モダリティしか作動させないようにしないと、クロストークを回避することができないであろう。
【０１０４】
基板１０６の全長走査の後は、好適にも、基板１０６のクロス走査方向１８０沿い幅を踏まえたテーブル１０４の運動により、基板１０６をクロス走査方向１８０に沿い漸進的にシフトさせることができる。その上で、上述のプロセスを、基板１０６の全体が走査され終えるまで繰り返せばよい。基板１０６が十分に狭幅であり、及び／又は、ライトモジュール１５２，１５４，１５６がクロス走査方向１８０に沿い十分に長ければ、システム１００にて基板１０６の単一パス走査を実行し基板１０６のクロス走査方向運動を不要にすることができる。
【０１０５】
本願記載の如き照明角度モダリティの偏向符号化は、基板１０６が採用波長域内で実質的に偏向不可知な場合にひときわ有用たりうる。例えばＰＣＢ検査では、銅の反射率が、どの注目入射角でも、また可視波長全体に亘り、互いに直交する偏向間で数％しか変化しない。誘電体基板は通常は半透明であり、反射を経た入射光を脱偏向させる傾向があるため、概ね入射角に対し不可知である。
【０１０６】
更に、角度不可知アプリケーションでは、基板１０６上の各所における素材種類の分析に際し、偏向符号化照明が有用たりうる。例えば、本願記載の如き偏向符号化照明は、光学的に粗なセラミクス、ソーラウェハウェハ又は可撓プラスチック基板上での金属薄膜又は誘電体膜の堆積により通常生成されるもののように、相対的に薄く且つ平坦な拡散反射素材又は誘電体膜を備えるパターン化基板を検査する際に、有用たりうる。
【０１０７】
こうした多偏向照明を提供するのに用いられるイルミネータ１２４の構造及び動作に関する子細は、図１２Ａ及び図１２Ｂを参照して後述する。
【０１０８】
次に参照する図５は、本発明のなおも別の好適実施形態に係るマルチモダリティ多重化照明を描いた概略空間時間チャートである。
【０１０９】
図５に示す通り、システム１００により提供されるマルチモダリティ多重化照明の例を、空間時間チャート５００なる形態で表現することができる。チャート５００の横軸は走査方向１５０に沿い延びており、チャート５００の縦軸は時間又はフレーム計数値を表している。
【０１１０】
図５にてチャート化されている照明方式例では、三通りの走査方向１５０沿い角度照明モダリティが３個の空間領域１３０，１３２，１３４に対応付けられており、それらがそれぞれ、三通りの別々なクロス走査方向１８０沿い角度モダリティにより補完されている。それらクロス走査方向角度モダリティは、好適にも、各空間領域１３０，１３２，１３４内の時間ステップにて順次配給される。とりわけ好適なことに、三通りの角度モダリティで構成されていて第１群をなす照明モダリティ５１０が好適にもある時点で空間領域１３０，１３２，１３４に配給されており、三通りの別な角度モダリティで構成される第２群５２０が好適にも第１群５１０配給後の別時点で空間領域１３０，１３２，１３４に配給されており、三通りの更に別な角度モダリティで構成される第３群５３０が好適にも第２群５２０配給後の更に別の時点で空間領域１３０，１３２，１３４に配給されている。
【０１１１】
第１、第２及び第３空間領域１３０，１３２，１３４は、好適にも、イルミネータ１２４が３群５１０，５２０，５３０との関連で順次ストロボ動作しているときに、それら３群の照明モダリティ５１０，５２０，５３０のうち一つを構成する個別モダリティのうち対応するものにより、同時照明される。
【０１１２】
照明エリア１３０，１３２，１３４は、図５では各エリアを照明する個別照明モダリティを表す横棒なる態で記されており、イルミネータ１２４がストロボ動作する瞬間それぞれにおけるＦＯＶ１６０の概念的断面図に相当するものとして理解することができる。各フレームは好適にもカメラ１２６により捕捉される。この場合、好適にも、カメラ１２６にモノクロームセンサ１３６を組み込み、それにより入来光を検出することができる。
【０１１３】
イルミネータ１２４のストロボ動作中及びストロボ動作後は、光学ヘッド１０２を、好適にも走査方向１５０に沿い連続運動させる。イルミネータ１２４を、好適にも、光学ヘッド１０２が走査方向１５０に沿い各エリア１３０，１３２，１３４を横断する道筋の約１／３なる距離を移動するのに相当する期間にてストロボ動作させるが、各ストロボ動作では別々な群の照明モダリティが配給されるようにする。図５の考察で察せられる通り、群をなす照明モダリティ５１０、５２０及び５３０を構成する各モダリティを、好適にも、各エリア１３０，１３２，１３４を過る全幅に相当する期間にてストロボ動作させる。従って、イルミネータ１２４のデューティサイクルは、前述の通り、各エリア１３０，１３２，１３４の全幅で決まる。
【０１１４】
理解し得るように、別々の群の照明モダリティ５１０，５２０，５３０を互いに異なる時点で配給し、またそれを基板１０６に対するイルミネータ１２４の連続運動と結び付けた結果として、好適にも、各群の照明モダリティにより各エリア１３０，１３２，１３４の一部領域が照明され、またその領域が漸進シフトすることとなる。好適にも、各エリア１３０，１３２，１３４のそうした領域間、即ち群をなす照明モダリティ５１０，５２０，５３０により照明される領域間に小さな空間重複があるので、正確な順次画像再構成が可能となる。
【０１１５】
従って、基板１０６上にあり括り領域５５０内に含まれている各点は、好適にも、３個のエリア１３０，１３２，１３４それぞれにてカメラ１２６により、且つ各エリア内の三時点にて照明されつつ、順次撮像される。従って、基板１０６上にあり括り領域５５０内に含まれている各点を照明する照明モダリティは、基板１０６上の３個の空間領域が三通りの時間モダリティにより照明されることに相応して、合計九通りとなる。本願記載の如き３個の時間ステップの使用は一例にすぎず、２個の或いは２個超の時間ステップをそれに代え用いることもできる。
【０１１６】
そして、基板１０６の全長走査の後は、好適にも、基板１０６のクロス走査方向１８０沿い幅を踏まえたテーブル１０４の運動により、基板１０６をクロス走査方向１８０に沿い漸進的にシフトさせることができる。その上で、上述のプロセスを、基板１０６の全体が走査され終えるまで繰り返せばよい。基板１０６が十分に狭幅であり、及び／又は、ライトモジュール１５２，１５４，１５６がクロス走査方向１８０に沿い十分に長ければ、システム１００にて基板１０６の単一パス走査を実行し基板１０６のクロス走査方向運動を不要にすることができる。
【０１１７】
理解し得るように、図５にてチャート化されている実施形態でのシステムスループットは、実行される漸進走査ステップが小さめであるため、図３及び図４にてチャート化されているものより低速になる。とはいえ、３群に群分けされそれぞれ３個の個別ストリップ上に入射されるのではなく、九通りの角度モダリティ全てが単一のストリップ上に入射されたとしたら、光学ヘッド１０２をストロボ動作間で照明ストリップ幅の約１／９しか漸進せず、且つ各ストロボ動作である単一の角度モダリティしか作動させないようにしないと、クロストークを避けることができない。そうしたシステムでは多数の走査増分が必要とされるであろうことと、上述した通り相次ぐ露出間にある有限な空間重複を確保する必要があることとが結び付くので、図５にてチャート化した如く本発明にて好適に達成されるそれよりかなり低い走査速度しか、もたらされないであろう。
【０１１８】
こうした時間ステップ化照明を提供するのに用いられるイルミネータ１２４の構造及び動作に関する子細は、図８Ａ〜図９Ｂを参照し後述する。
【０１１９】
図３〜図５にてチャート化されている種々の照明モダリティのなかから様々なものを組み合わせることで、更に高次なマルチモダリティ照明を達成することができる。専ら一例として、種々の偏向モダリティを種々の波長モダリティと組み合わせたものが図６に描かれている。図６に示す通り、システム１００により提供されるマルチモダリティ多重化照明の例を、空間時間チャート６００なる形態で表現することができる。チャート６００の横軸は走査方向１５０に沿い延びており、チャート６００の縦軸は時間又はフレーム計数値を表している。
【０１２０】
図６にてチャート化されている照明方式例では、３個の空間領域１３０，１３２，１３４それぞれが２個の偏向符号化チャネルにより照明されており、各偏向符号化チャネルが三通りの波長符号化角度モダリティで構成されており、好適にもそれらが各空間領域１３０，１３２，１３４に同時配給されている。とりわけ好適なことに、合計６個の波長及び偏向符号化チャネルで構成されている第１群の照明モダリティ６１０が好適にも第１空間領域１３０に配給されており、それと同じ６個の波長及び偏向チャネルにより符号化された別の角度モダリティで構成されている第２群の照明モダリティ６２０が好適にも第２空間領域１３２に供給されており、やはり同じ６個の波長及び偏向チャネルにより符号化された更に別の角度モダリティで構成されている第３群の照明モダリティ６３０が好適にも第３空間領域１３４に配給されている。第１、第２及び第３空間領域１３０，１３２，１３４は、好適にも、イルミネータ１２４がストロボ動作しているときにそれら３群の照明モダリティ６１０，６２０，６３０のうち対応するものにより同時照明される。
【０１２１】
各時間ステップ又はフレームではイルミネータ１２４がストロボ動作し、エリア１３０，１３２，１３４が、好適にも、対応する群の照明角度モダリティ６１０，６２０，６３０でありそれぞれ二通りの偏向を有する三通りの照明波長を含むものにより、同時照明される。照明エリア１３０，１３２，１３４は、図６では、それにより各エリアが照明される二通りの偏向それぞれにて三通りの波長を表す６本重ねの横棒として記されており、イルミネータ１２４がストロボ動作する瞬間それぞれにおけるＦＯＶ１６０の概念的断面図に相当するものとして理解することができる。
【０１２２】
図６では、それにより様々な角度モダリティ群が符号化される二通りの直交する偏向が、参照符号６４０及び６４２により示されている。図６に示したのは二通りの直線偏向の一例であり、６４０は走査方向１５０を向く直線偏向、６４２はクロス走査方向１８０を向く直線偏向を表している。理解し得るように、これに代え他の直交偏向符号化方式を採用してもよい。
【０１２３】
各フレームは好適にもカメラ１２６により捕捉される。イルミネータ１２４のストロボ動作中及びストロボ動作後は、光学ヘッド１０２を、好適にも走査方向１５０に沿い連続運動させる。イルミネータ１２４を、好適にも、光学ヘッド１０２が走査方向１５０に沿い各エリア１３０，１３２，１３４の全幅又はほぼ全幅を横断移動するのに相当する期間にて、ストロボ動作させる。従って、基板１０６上にあり括り領域３５０内に含まれている各点が、好適にも、３個のエリア１３０，１３２，１３４それぞれにてカメラ１２６により、且つ群６１０，６２０，６３０に含まれる六通りの照明波長及び偏向符号化角モダリティそれぞれにより照明されつつ撮像される。従って、基板１０６上にあり括り領域３５０内に含まれている各点を照明する照明モダリティは、基板１０６上の３個の空間領域それぞれが六通りの波長及び偏向符号化モダリティにより照明されることに相応し、合計十八通りとなる。
【０１２４】
図６にてチャート化されているそれに限らず、それに代わる種々の照明モダリティの組合せも可能である。従って、例えば、図３に描かれている如く複数個の空間領域を種々の波長符号化モダリティにより照明するものに、図５に描かれている種々の時間モダリティを組み合わせることで、照明モダリティをより多数にすることができ、図４に描かれている如く複数個の空間領域を種々の偏向符号化モダリティにより照明するものに、図５に描かれている種々の時間モダリティを組み合わせることができ、またそれに代え偏向、波長及び時間ステップモダリティの全てを組み合わせることもできる。
【０１２５】
理解し得るように、基板１０６を照明するのに用いられる照明モダリティの個数が多いほど、その検査の正確性及び分解能が向上するものの、場合によっては、モダリティの個数が増加するにつれシステムスループットが低速になることがある。
【０１２６】
次に参照する図７Ａ，図７Ｂは、順に、図１Ａ〜図２Ｂに示されているタイプのシステムの照明出力との関連で示した光学素子配列の概略前面図，概略斜視図である。
【０１２７】
図７Ａ及び図７Ｂに示す通り、イルミネータ１２４（図示せず）からの照明出力、ここでは３本の照明ビーム７００，７０２，７０４で構成される態で描かれているそれが、好適にも、少なくとも２個のエリアに入射しており、ここではそれらエリアが基板１０６上の３個の照明エリア１３０，１３２，１３４で構成される態で描かれている。本発明の好適実施形態の際立って有益な特徴は、ビーム７００，７０２，７０４及びそれに対応する照明エリア１３０，１３２，１３４が好適にも非連接的であり、それがライトモジュール１５２，１５４，１５６間の物理的間隔及びそれらの向きによるものであることにある。従って、ビーム７００，７０２，７０４を基準としてビームスプリッタ１７０を位置決めすることで、それらビームの内部にではなくビーム７００，７０２，７０４間の隙間に、ビームスプリッタ１７０の縁７１０が存するようにすることができる。光ビーム７００，７０２，７０４の内部にてはなく間にビームスプリッタ１７０の縁７１０を位置決めすることには、縁７１０により持ち込まれる照明不均一性及び漏洩光を最小化する働きがある。ビームスプリッタ１７０の最適配置は、好適なことに、照明に対するエリア１３０，１３２，１３４の露出が妨げられず、エリア１３２の照明の減衰が勘案され、且つエリア１３０，１３２，１３４から反射されてきた照明がカメラ１２６により無ケラレ捕捉されるようにすることを基本に、選定される。
【０１２８】
注記されることに、ビーム７００は、好適にも、空間的には重複するが角度的には実質的に別個な３本のサブビームへと、クロス走査方向１８０に沿い分割されるのであるが、表現の明瞭化のため図７Ｂでは省略されている。様々な実施形態におけるそうしたクロス走査モダリティの形成については図１１Ａ〜図１３に描いてある。それらサブビームにより表される様々な別々の照明モダリティが、イルミネータ１２４によりクロス走査方向１８０に沿い提供される。ビーム７００のサブビームにより、図３にてチャート化されている照明方式に従いエリア１３０を同時照明する三通りの別々な波長のサブビーム、図４にてチャート化されている照明方式に従いエリア１３０を同時照明する二通りの別々な偏向のサブビーム、或いは図５にてチャート化されている照明方式に従い別々の時点で配給されエリア１３０を順次照明するサブビームを、構成することができる。
【０１２９】
好適にも、同様のサブビームで各ビーム７００，７０２，７０４を構成できよう。各ビーム７００，７０２，７０４を、クロス走査方向１８０に沿い提供される照明モダリティの個数に従い、クロス走査方向１８０に沿い２本以上のサブビームへと細分することができる。クロス走査サブビームの形成については、図１１〜図１３との関連で後に更に詳述する。更に、図７Ａ及び図７Ｂには３本のビーム７００，７０２，７０４が描かれているが、イルミネータ１２４には、別々な角度モダリティのビームを走査方向１５０に沿い２本以上供給する２個以上のライトモジュールを組み込むこと、またそれらビームをそれぞれ細分してクロス走査方向１８０に沿い少なくとも二通りの照明モダリティにすることができる。
【０１３０】
必須ではないが好適なことに、ビーム７００、７０２及び７０４の対角たる入射角同士を図７Ａに示す如く走査方向１５０に沿い僅かに重複させることで、プロセッサ１２８による重複画像マージ後の結合照明効果を、確と、角度ギャップのないものとすることができる。図７Ａ及び図７Ｂの考察から明らかな通り、撮像レンズ１７４及びカメラ１２６の光軸７２０が好適にも傾斜しており、基板１０６に対しある斜め角をなしている。この構成では、有益にも、ビーム７００形成用光学素子向け空間が残る。更に、この構成では、レンズ１７４の作動距離を短くすることができ、ひいてはレンズ１７４により比較的低コスト及び低複雑度で高分解能撮像を達成することが可能となる。本発明の好適諸実施形態に従い構成され動作する照明及び撮像サブシステムが組み込まれた検査システムは、３０μｍ以下、とりわけ１５μｍ以下のフィーチャを有する基板の高分解能検査向けに、ひときわ有用である。
【０１３１】
次に参照する図８Ａ〜図８Ｃは、順に、本発明の好適実施形態に従い構成され動作し、図３又は図４に描かれているタイプのマルチモダリティ多重化照明を提供するのに適するマルチモダリティイルミネータの、概略斜視図，概略前面図，概略側面図である。
【０１３２】
図８Ａ〜図８Ｃに示す通りマルチモダリティイルミネータ８２４が設けられており、好適にもそれが本発明の照明サブシステム１２０の一部分を形成している。図８Ａ〜図８Ｃに示すマルチモダリティイルミネータ８２４は、システム１００の照明サブシステム１２０のうち一部分を形成するイルミネータ１２４の、際立って好適な実施形態である。
【０１３３】
マルチモダリティイルミネータ８２４は、好適なことに少なくとも２個のライトモジュールを有しており、ここではそれが例えば第１ライトモジュール８５２、第２ライトモジュール８５４及び第３ライトモジュール８５６として具象化されている。ライトモジュール８５２，８５４，８５６は、イルミネータ１２４に備わるライトモジュール１５２，１５４，１５６の、際立って好適な実施形態である。
【０１３４】
第１、第２及び第３ライトモジュール８５２，８５４，８５６は、必須ではないが好適なことに、相互にそっくりであり且つ走査方向１５０に沿い相互整列している。必須ではないが好適なことに、第１、第２及び第３ライトモジュール８５２，８５４，８５６は、本願既述の通り走査方向１５０に沿い物理的に間隔配置されている。個々のライトモジュール８５２，８５４，８５６は、好適にもクロス走査方向１８０に沿い長く延びている。
【０１３５】
各ライトモジュールは好適にも光源アレイを備えており、ここではそれが例えばＬＥＤ８６０のアレイとして具象化されている。他種の光源のなかにも、これに代えライトモジュール８５２，８５４，８５６に組み込むのに適するものがあり、例えばスーパールミネッセントダイオード（ＳＬＤ）、ダイオードレーザ、垂直共振器面発光レーザ（ＶＣＳＥＬ）やレーザ励起蛍光ランプが適しうる。これに代え、有形光源を光ファイバかその他の導波又はホモジナイズ化素子に結合させ、その光導波路の出射端を実質的光源として機能させてもよい。
【０１３６】
ＬＥＤ８６０を、ある単一の共通波長にて発光させることで、例えば図５にてチャート化されているそれの如き照明方式に従い単色照明を提供することができる。これに代え、ＬＥＤ８６０を種々の波長で発光させてもよい。例えば、ＬＥＤ８６０を、ユニット８６２が周期的に反復するパターンに従い配列すればよい。各ユニット８６２を、第１波長にて発光する第１ＬＥＤ８６４、第２波長にて発光する第２ＬＥＤ８６６、並びに第３波長にて発光する第３ＬＥＤ８６８で構成すれば、図３にてチャート化されているそれの如き照明方式に従い、クロス走査方向１８０に沿い三通りの別々な波長モダリティの照明を提供することが可能となる。
【０１３７】
各ＬＥＤ８６０は好適にも光導波路８７０に結合されている。光導波路８７０は、好適にも、それに対応するＬＥＤ８６０でありその上方に実装されているものにより放射された光を受光し、その光をランダム化することで、空間的に均一な光分布を提供する。ＬＥＤのユニット８６２に属し３本の光導波路８７０からなる群は、好適にも光整形素子８８０に対し整列配置されている。光整形素子８８０は、好適にも、自身と連携する光導波路８７０により出射された均一光を受光し、ある所定形状の光出力を提供する。
【０１３８】
各光整形素子８８０から出射された光は、好適にも、長尺な集光素子８９０の方に伝搬していき、その長尺集光素子８９０にて、好適にも、全ての光整形素子８８０からの光出力が集光される。本願既述の通り、集光素子８９０は透過型集光素子とすること、好適には特許文献１記載のタイプのそれにすることができるので、同文献の全容を参照により本願に繰り入れることとする。好適にも、集光素子８９０を透過した集光光により、基板１０６上にあるエリア１３０，１３２，１３４のうち対応するものが照明される。
【０１３９】
図８Ｄは、マルチモダリティイルミネータ８２４の別の角度からの詳細外観図であり、それを通り基板１０６上のエリア１３０、１３２及び１３４に向かう照明路を描いた外観図群で構成されている。
【０１４０】
透過型集光素子８９０に代え、図９Ａ及び図９Ｂに描かれている通り、反射型集光素子として具体化することもできる。
【０１４１】
次に、図９Ａ及び図９Ｂに、代替的実施形態に係るマルチモダリティイルミネータ９２４を示す。イルミネータ９２４は、好適にも、少なくとも２個のライトモジュールを有しており、ここではそれが、例えば第１ライトモジュール９５２、第２ライトモジュール９５４及び第３ライトモジュール９５６として具象化されている。ライトモジュール９５２，９５４，９５６は、イルミネータ１２４に備わるライトモジュール１５２，１５４，１５６の、もう一つの際立って好適な実施形態である。
【０１４２】
第１、第２及び第３ライトモジュール９５２，９５４，９５６は、必須ではないが好適にも、互いにそっくりとされていない。各ライトモジュール９５２，９５４，９５６は、好適にも、クロス走査方向１８０に沿い長く延びている。各ライトモジュールは好適にも光源アレイを備えており、ここではそれが、例えばＬＥＤ８６０のアレイとして具象化されている。他種の光源のなかにも、これに代えライトモジュール９５２，９５４，９５６に組み込むのに適するものがあり、例えばスーパールミネッセントダイオード（ＳＬＤ）、ダイオードレーザ、垂直共振器面発光レーザ（ＶＣＳＥＬ）やレーザ励起蛍光ランプが適しうる。これに代え、有形光源を光ファイバかその他の導波又はホモジナイズ化素子に結合させ、その光導波路の出射端を実質的光源として機能させてもよい。
【０１４３】
ＬＥＤ８６０を、ある単一の共通波長にて発光させることで、例えば図５にてチャート化されているそれの如き照明方式に従い、単色照明を提供することができる。これに代えＬＥＤ８６０を種々の波長で発光させてもよい。ＬＥＤ８６０は、例えば、ユニット８６２が周期的に反復するパターンに従い配列することができる。各ユニット８６２を、第１波長にて発光する第１ＬＥＤ８６４、第２波長にて発光する第２ＬＥＤ８６６、並びに第３波長にて発光する第３ＬＥＤ８６８で構成すれば、図３にてチャート化されているそれの如き照明方式に従い、クロス走査方向１８０に沿い種々の波長モダリティの照明を提供することが可能となる。
【０１４４】
各ＬＥＤ８６０は、好適にも光導波路、例えば光導波路８７０に結合されている。光導波路８７０は、好適にも、それに対応するＬＥＤ８６０でありその上方に実装されているものにより放射された光を受光し、その光をランダム化することで、空間的に均一な光分布を提供する。ＬＥＤのユニット８６２に属し３本の光導波路８７０からなる群が、好適にも光整形素子、例えば光整形素子８８０に対し整列配置されている。光整形素子８８０は、好適にも、自身と連携する光導波路８７０により出射された均一光を受光し、ある所定形状の光出力を提供する。
【０１４５】
各光整形素子８８０から出射された光は、好適にも、略円筒状の集光素子９９０の方に伝搬していき、その略円筒状集光素子９９０にて、好適にも、全ての光整形素子８８０からの光出力が集光される。集光素子９９０は反射型集光素子、好適には「照明システム及びそれを有する検査装置」(Illumination system and inspection apparatus including same)と題する特許文献２記載のタイプのものにすることができるので、同文献の全容を参照により本願に繰り入れることとする。集光素子９９０により、好適にも、基板１０６上にあるエリア１３０，１３２，１３４のうち対応するものの方へと集光光が反射される。
【０１４６】
明瞭化のため、図９Ａ及び図９Ｂには撮像光路を示していない。理解し得るように、基板１０６上のエリア１３０，１３２，１３４を撮像しうるよう撮像レンズ及びカメラをフィットさせるには、ライトモジュール例えば９５２又は９５６とそれに対応する集光器９９０との間に、少なくとも１個の折り返し鏡を追加するのがよい。
【０１４７】
マルチモダリティイルミネータ８２４及び９２４の光出力は単一偏向のものとすることができる。これに代え、マルチモダリティイルミネータ８２４，９２４を、複数通りの偏向にて光出力を提供するよう構成してもよい。例えば、図１０Ａ及び図１０Ｂに示すマルチモダリティ偏向多重化イルミネータ１０２４の例にて示されている通り、複数通りの波長及び二通りの偏向にて光出力を提供するようマルチモダリティイルミネータ８２４を修正してもよい。
【０１４８】
図１０Ａ及び図１０Ｂに示す通り、多重化イルミネータ１０２４に６個のライトモジュール１０３０を組み込むことができ、そのライトモジュールそれぞれを、ライトモジュール８５２，８５４，８５６に対し全体として似たタイプのものとすることができる。ライトモジュール１０３０は、好適にも、３個の対１０３２をなすよう対にされており、その対１０３２それぞれが２個のライトモジュール１０３０を有しており、それらライトモジュールがＦＯＶ１６０の所与エリア、例えばエリア１３０，１３２，１３４へと、互いに異なる偏向の光を供給する。マルチモダリティイルミネータ例えばマルチモダリティイルミネータ１０２４は、図６にてチャート化されているタイプの照明方式に従いマルチモダリティ波長及び偏向多重化照明を提供するのに役立ちうる。
【０１４９】
図示の偏向多重化イルミネータ１０２４はマルチモダリティイルミネータ８２４と似たタイプのマルチモダリティイルミネータであり、透過型集光素子８９０を有しているが、これに代え、マルチモダリティイルミネータ９２４に対し全体として似たタイプの偏向多重化イルミネータであり、反射型集光素子９９０を有するものを、本発明の別の好適実施形態に従い設けることもできる。
【０１５０】
多重化イルミネータ１０２４は、好適にも、十八通りの別々な角度照明モダリティを投射可能なものである。とはいえ、注記されることに、角度不可知アプリケーションの場合、イルミネータ１０２４を、基板１０６のマルチスペクトル撮像に役立てることができる。ある例によれば、あるライトモジュール１０３０の三通りのＬＥＤ波長と、それと同じ対１０３２に属する別のライトモジュール１０３０の三通りのＬＥＤ波長とを、違うものにすることができる。この要領で設計されているがポラライザを有していないイルミネータ１０２４は、最多で十八通りの別々な波長に亘るマルチスペクトル走査及び撮像に役立てることができる。
【０１５１】
次に参照する図１１Ａ、図１１Ｂ及び図１１Ｃは、図８Ａ〜図１０Ｂのうち何れかに描かれているタイプのイルミネータの一部分からの光出力を描いた概略図である。
【０１５２】
図１１Ａ、図１１Ｂ及び図１１Ｃに示す通り、ある単一のライトモジュール１１００、好適にはライトモジュール８５２，８５４，８５６，９５２，９５４，９５６，１０３０のうち何れか一つとして具象化されるそれに、ＬＥＤ８６０のアレイが設けられ一群の光導波路８７０に結合されており、それら光導波路８７０のうち３個からなる群が個別の光整形素子８８０に結合されている。
【０１５３】
光整形素子８８０は好適にもフリーフォームな円柱状屈折型光学素子とされている。素子８８０はガラスで作成しうるが、射出成型プラスチックで製作するのが望ましい。隣り合う光導波路８７０に結合されており群をなしている素子８８０を、好適にも、射出成型プラスチック素子のモノリシックアレイとして作成することができる。素子８８０は、好適にも、所定形状分布の均一光を集光器、例えば透過型集光器８９０（図８Ａ〜図８Ｃ）又は反射型集光器９９０（図９Ａ及び図９Ｂ）へと供給する。
【０１５４】
ライトモジュール１１００は好適にもクロス走査方向１８０に沿い長く延びている。本願既述の通り、ライトモジュール１１００は、好適にも、複数通りのクロス走査方向照明モダリティを提供するよう動作させることができ、それらクロス走査方向照明モダリティにより、走査方向１５０沿いで提供される種々の角度照明モダリティを、マルチモダリティイルミネータ８２４又は９２４内に組み込まれた複数個のイルミネータのうち別々なもので補完することができる。
【０１５５】
図３を参照し上述した照明方式では、ライトモジュール１１００を、好適にも、クロス走査方向１８０に沿い少なくとも二通り、例えば三通りの波長符号化モダリティの照明を提供するよう、動作させることができる。この方式では、第１波長にて発光する第１ＬＥＤ８６４、第２波長にて発光する第２ＬＥＤ８６６、並びに第３波長にて発光する第３ＬＥＤ８６８の全てが、ライトモジュール１１００がストロボ動作しているときに同時作動する。従って、基板１０６のうちライトモジュール１１００により照明されるエリア、例えばエリア１３０，１３２，１３４が、図３にてチャート化されている通り三通りの波長の光により同時照明される。
【０１５６】
図５を参照して上述した別の照明方式では、ライトモジュール１１００を、好適にも、少なくとも二通り、例えば三通りの時間ステップにて照明を供給するよう動作させることができる。この方式では、ライトモジュール１１００をストロボ動作させるたびに第１、第２及び第３ＬＥＤ８６４，８６６，８６８の全てを同時作動させるのではなく、好適にも、ＬＥＤ８６４，８６６，８６８を順次作動させる。ＬＥＤ８６４，８６６，８６８の順次作動が図１１Ａ〜図１１Ｃに描かれている。
【０１５７】
図１１Ａ中の第１ペイン１１０２、即ち第１時点でのライトモジュール１１００のストロボ動作に相当するペインに示す通り、一組のＬＥＤのみ、例えばＬＥＤ８６４を作動させることで、専ら第１角度にて光を出射させることができる。図１１Ｂ中の第２ペイン１１０４、即ち第２時点でのライトモジュール１１００のストロボ動作に相当するペインに示す通り、二組目のＬＥＤのみ、例えばＬＥＤ８６６を作動させることで、専ら第２角度にて光を出射させることができる。図１１Ｃ中の第３ペイン１１０６、即ち第３時点でのライトモジュール１１００のストロボ動作に相当するペインに示す通り、三組目のＬＥＤのみ、例えばＬＥＤ８６８を作動させることで、専ら第３角度にて光を出射させることができる。こうすることで、ライトモジュール１１００により提供される照明の出射角を、ＬＥＤ８６０のうち別々なものの順次作動に依拠し三方向的に切り換えることが可能となる。
【０１５８】
３個の対応する光導波路８７０及び単一の光整形素子８８０に結合されており単一群をなしている３個のＬＥＤ８６４，８６６，８６８の順次作動を、付加的な明瞭化のため更に詳細に描いたのが図１１Ｄ〜図１１Ｆであり、これらの図には、第１角度にて光を出射するＬＥＤ８６４（図１１Ｄ）、第２角度にて光を出射するＬＥＤ８６６（図１１Ｅ）、並びに第３角度にて光を出射するＬＥＤ８６８（図１１Ｆ）の順次作動が示されている。完全を期すべく、単一群をなすＬＥＤ８６４，８６６，８６８の同時作動を図１１Ｇに示してある。上述の通り、そうした同時ＬＥＤ作動は、図３にてチャート化されており各ＬＥＤが別々の波長で照明を放射する照明方式や、図５にてチャート化されておりＬＥＤが任意波長で放射する照明方式に、その具体的用途に従い対応付けることができる。
【０１５９】
第１、第２及び第３ペイン１１０２，１１０４，１１０６に表されている照明に対応する時点間の時間ギャップは、好適にも、各照明エリア１３０，１３２，１３４を横断する道筋の約１／３にあたる距離を光学ヘッド１０２が動く時間に相当している。
【０１６０】
図４を参照して上述した別の照明方式では、ライトモジュールを、好適にも、クロス走査方向１８０に沿い少なくとも二通りの偏向の照明を提供するよう動作させることができる。そうした偏向多重化を行うのに役立つ単一のライトモジュール１２００を、図１２Ａ及び図１２Ｂに示す。図１２Ａ及び図１２Ｂに示す通り、ライトモジュール１２００は、その構造及び動作の関連諸側面にて、ライトモジュール１１００に全体として似せることができる。けれども、ライトモジュール１２００は、好適にも、光導波路８７０のうち対応するものの上に実装された複数個の偏向フィルタ１２０２を有しているので、それによる光出力を好適に偏向させることができる。偏向フィルタ１２０２は、好適にも、二通りの互いに直交する偏向間で交番配列に従い配列されている。従って、各光導波路８７０の光出力が、同じ光整形素子８８０に結合されており隣にある光導波路８７０の光出力に対し、直交偏向される。更に、各光整形素子８８０に結合されているＬＥＤ８６０のユニット８６２には、ライトモジュール１１００の場合のように３個のＬＥＤ８６０が備わるのではなく、二通りの種々の偏向に対応し２個の個別切換可能なＬＥＤ８６０が入れられている。
【０１６１】
次に参照する図１３は、図７Ａ〜図９Ｂに描かれているタイプのマルチモダリティイルミネータの光出力に対応する角度覆域の概略グラフ表現である。
【０１６２】
マルチモダリティイルミネータ例えばイルミネータ１２４、８２４又は９２４であり、３個のライトモジュール例えばライトモジュール１１００を有するものによりもたらされる角度覆域を、図１３に示す。第１プロット１３００及び第２プロット１３０２には、クロス走査方向１８０沿いの２個の個別位置に関し、カメラ１２６（図１Ｂ）のＦＯＶ１６０の集合的角度覆域が描かれている。プロット１３００及び１３０２のｘ軸はクロス走査方向１８０沿い照明入射角、ｙ軸は走査方向１５０沿い照明入射角を表している。プロット１３００及び１３０２に示す通り、ＦＯＶ１６０の角度覆域を、イルミネータ８２４又は９２４により提供される九通りの照明モダリティに対応する９個の領域へと、分割することができる。
【０１６３】
完全を期すべく、一組のＬＥＤしか作動させない場合、例えばＬＥＤ８６４又はＬＥＤ８６６又はＬＥＤ８６８しか作動させない場合におけるＦＯＶ１６０の角度覆域を、第３プロット１３０４に示す。この場合、九通りの照明モダリティのうち三通りの照明モダリティしか提供されず、各走査方向モダリティ毎に単一のクロス走査モダリティが作動される。これは、３個のライトモジュール、例えば図８Ａ〜図８Ｃの８５２，８５４，８５６の全てでのＬＥＤ８６８の作動による光出力に相当している。
【０１６４】
注記すべきことに、プロット１３００、１３０２及び１３０４により表されている角度覆域は、ＦＯＶ１６０内である瞬間に物理的に存在するものではない。寧ろ、これは、上述した図３及び図５中の走査チャートに従い得られた部分重複像の適切な多重分離、処理及びマージを経て実質的に得られる角度覆域である。
【０１６５】
更に完全を期すべく、１個のライトモジュールのみ、例えばライトモジュール８５２又は８５４又は８５６のみを作動させる場合におけるＦＯＶ１６０の角度覆域を、第４プロット１３０６に示す。この場合、クロス走査方向１８０沿いでは三通りの照明モダリティしか提供されない。
【０１６６】
プロット１３０４に示した三通りのクロス走査モダリティとは逆に、プロット１３０６に示されている三通りのモダリティは皆、波長多重化方式例えば図３のそれの下で、ＦＯＶ１６０のあるサブ領域例えば１３４に亘り同時に、物理的に作動させることができる。これに代え、ＦＯＶ１６０のある単一のサブ領域例えばエリア１３４内で、図５の方式に従い捕捉された３個の相次ぐ部分重複像を適切に処理し結合させることで、プロット１３０６の角度覆域を合成してもよい。
【０１６７】
カメラ１２６により捕捉された個別像、好ましくは部分重複像の全て又は一部を、画像処理兼制御用電子回路１２８（図１Ｂ）により集約することができる。画像処理兼制御用電子回路１２８にて、本件技術分野で周知な画像校正及び変換動作、例えば歪補正を実行することで、それら個別マルチモダリティ像同士をマージして全角複合像にすることが可能となる。
【０１６８】
制御用電子回路１２８により実現される他の画像処理機能には、その波長多重化方式にて採用されている種々の波長に関する光強度及びカメラ応答の差異や、ビームスプリッタ１７０によりサブ領域１３２上に入射された光の相対減衰に関する、個別モダリティ像の校正及び補償が含まれうる。
【０１６９】
ある種の実施形態によれば、画像処理兼制御用電子回路１２８により高正確度サブ画素画像位置合わせを実行することで、全角像を生成することが可能となる。上述の通り複数通りの別々な照明モダリティが採用されているため、その後、それら全角像を用い基板１０６における欠陥を高い検出率にて且つ些少なフォルスポジティブで以て検出することができる。
【０１７０】
ある種の実施形態によれば、上述の適切な校正及び補償の後、各個別モダリティに相応するグレー値を各基板画素にて付加することにより、全角覆域像を得ることができる。そうした諸実施形態では、注記すべきことに、様々なモダリティ間の僅かな角度重複によって、非常に光輝的で不均質な金属質トレースの像内に、明るめの輪郭が出現することがある。とはいえ、そうした明るめな輪郭の効果は、照明内角度ギャップに由来する暗輪郭の発生で生じるであろう効果よりはかなり有害さが少なく、非線形画像処理法例えば単純閾値判別の使用による明るめ輪郭効果の平滑等を通じて速やかに補正することができる。
【０１７１】
次に参照する図１４、図１５、図１６Ａ及び図１６Ｂは、図８Ａ〜図１２のうち何れかのタイプのシステムにより提供される多重化照明の多重分離を実行するのに役立つ様々な光学素子配列の候補の概略図である。
【０１７２】
図１４にて提示されている波長多重分離撮像方式１４００は複数通りの波長、図示例では三通りの波長にて照明を分離させるのに役立つ。波長多重分離撮像方式１４００は、本件技術分野で周知な３チップＲＧＢビデオカメラデザインに全体として似せうるものであり、好適にも、各波長にて光を感知する複数個のセンサ１４０２をカメラ１２６内に有している。波長多重分離撮像方式、例えば図１４に描かれているそれは、図８Ａ〜図９Ｂに描かれているタイプのマルチモダリティイルミネータによる照明下での像を多重分離させ、図３に描かれており九通りの照明モダリティを孕むタイプの照明方式を提供するのに、役立ちうる。
【０１７３】
図１５にて提示されている偏向多重分離撮像方式１５００は、二通りの偏向にて照明を分離させるのに役立つ。偏向多重分離撮像方式１５００は、好適にも、各偏向にて光を感知する一対のセンサ１５０２をカメラ１２６内に有している。この場合、偏向ビームスプリッタ１５０４を採用することができる。偏向多重分離撮像方式、例えば図１５に描かれているそれは、図１２Ａ及び図１２Ｂに描かれているタイプのライトモジュールを有するマルチモダリティイルミネータによる照明下での像を多重分離させ、図４に描かれており六通りの照明モダリティを孕むタイプの照明方式を提供するのに、役立ちうる。
【０１７４】
図１６Ａ及び図１６Ｂにて提示されている波長及び偏向多重分離撮像方式１６００は、二通りの偏向及び三通りの波長にて照明を分離させるのに役立つ。偏向及び波長多重分離撮像方式１６００におけるカメラ１２６は、好適にも、各波長にて第１偏向を有する光を個別感知する複数個のセンサ１６０４を含む第１センサ集合１６０２と、各波長にて第２偏向を有する光を個別感知する第２の複数個のセンサ１６０８を含む第２センサ集合１６０６とを有している。方式１６００は、更に、好適にも、二通りの別々な偏向にて入来光を分離する偏向ビームスプリッタ１６１０を有している。偏向多重分離撮像方式、例えば図１６に描かれているそれは、図１０Ａ及び図１０Ｂに描かれているタイプのマルチモダリティイルミネータによる照明下での像を多重分離させ、図６に描かれており十八通りの照明モダリティを孕むタイプの照明方式を提供するのに、役立ちうる。
【０１７５】
いわゆる当業者には察せられる通り、本発明は、後掲の特許請求の範囲に具体的に記載されているものに限定されない。寧ろ、本発明の技術的範囲には、上述した諸特徴の様々な組合せ及びサブコンビネーション並びにその修正及び変形であり、いわゆる当業者が図面を参照しつつ上掲の記述を読むことで理解でき且つ従来技術に属していないものが包含される。
【図１Ａ】
2022501580.tif 000003
【図１Ｂ】
2022501580.tif 000004
【図２Ａ】
2022501580.tif 000005
【図２Ｂ】
2022501580.tif 000006
【図３】
2022501580.tif 000007
【図４】
2022501580.tif 000008
【図５】
2022501580.tif 000009
【図６】
2022501580.tif 000010
【図７Ａ】
2022501580.tif 000011
【図７Ｂ】
2022501580.tif 000012
【図８Ａ】
2022501580.tif 000013
【図８Ｂ】
2022501580.tif 000014
【図８Ｃ】
2022501580.tif 000015
【図８Ｄ】
2022501580.tif 000016
【図９Ａ】
2022501580.tif 000017
【図９Ｂ】
2022501580.tif 000018
【図１０Ａ】
2022501580.tif 000019
【図１０Ｂ】
2022501580.tif 000020
【図１１Ａ】
2022501580.tif 000021
【図１１Ｂ】
2022501580.tif 000022
【図１１Ｃ】
2022501580.tif 000023
【図１１Ｄ】
2022501580.tif 000024
【図１１Ｅ】
2022501580.tif 000025
【図１１Ｆ】
2022501580.tif 000026
【図１１Ｇ】
2022501580.tif 000027
【図１２Ａ】
2022501580.tif 000028
【図１２Ｂ】
2022501580.tif 000029
【図１３】
2022501580.tif 000030
【図１４】
2022501580.tif 000031
【図１５】
2022501580.tif 000032
【図１６Ａ】
2022501580.tif 000033
【図１６Ｂ】
2022501580.tif 000034
【国際調査報告】
2022501580.tif 000035
2022501580.tif 000036
2022501580.tif 000037
2022501580.tif 000038